(57)【要約】【課題】この発明は、表示していた操作画面を一旦他の操作画面に切り替え再び元の操作画面に戻したり、操作画面の表示中に電源スイッチを切って再び投入した場合等に、元の操作画面の選択・設定状態を再現して表示することにより、ユーザにとって操作性を便利にした操作画面表示機能付き記録再生装置を提供することを目的としている。【解決手段】複数種類の操作画面から選択的に表示させた操作画面上で操作を行なう操作画面表示機能付き記録再生装置において、複数種類の操作画面の各状態をそれぞれ記憶媒体に記憶しておき、所定の操作画面の表示が要求された状態で、記憶媒体に記憶されている状態に基づいて、要求された操作画面を表示させる制御手段１６を備えている。【選択図】    図１
2004335106.tif 000002
【特許請求の範囲】
【請求項１】
複数種類の操作画面から選択的に表示させた操作画面上で操作を行なう操作画面表示機能付き記録再生装置において、
前記複数のタイトルの各サムネイルを含むサムネイル画像の操作画面、録画予約一覧を示す録画予約一覧画像の操作画面の各状態をそれぞれ記憶媒体に記憶する手段と、
前記サムネイル画像の操作画面の表示を要求する手段と、
前記要求されたサムネイル画像の操作画面を表示させる手段と、
前記録画予約一覧を示す録画予約一覧画像の操作画面の表示を要求する手段と、
この要求があったときに、前記サムネイル画像の操作画面の操作状態をそのまま上記記憶媒体に記憶する手段と、
前記録画予約一覧を示す録画予約一覧画像の操作画面を表示させる手段と、
再度前記サムネイル画像の操作画面の表示を要求する手段と、
前記録画予約一覧を示す録画予約一覧画像の操作画面の操作状態をそのまま上記記憶媒体に記憶する手段と、
最後に記憶されたサムネイル画像の操作画面を表示させる手段と、
を具備してなることを特徴とする操作画面表示機能付き記録再生装置。
【請求項２】
前記制御手段は、表示されている操作画面に対して状態の変更が生じた場合に、その変更された状態を記憶媒体に記憶することを特徴とする請求項１記載の操作画面表示機能付き記録再生装置。
【発明の詳細な説明】
【技術分野】
【０００１】
この発明は、ＧＵＩ（Graphical User Interface）による操作画面の表示に改良を施した操作画面表示機能付き記録再生装置に係り、特に、情報記録再生が可能なハードディスク及びＤＶＤ（Digital Versatile Disc）等の記録媒体を同時に取り扱うことができる装置に適用されて有効なものに関する。
【背景技術】
【０００２】
周知のように、近年では、映像や音声等のデータを記録した光ディスクを再生する動画対応の光ディスク再生装置が開発されている。この装置は、例えばＬＤ（Laser Disc）や、ビデオＣＤ（Compact Disc）再生装置等のように、映画ソフトを鑑賞したりカラオケ等を楽しむ目的で一般に普及されている。
【０００３】
その中で、現在、国際規格化したＭＰＥＧ（Moving Picture Image Coding Experts Group）２方式を使用するとともに、ＡＣ（Audio Compression）−３オーディオ圧縮方式を採用したＤＶＤ規格が提案されている。
【０００４】
この規格は、ＭＰＥＧ２システムレイヤにしたがって、動画圧縮方式にＭＰＥＧ２方式をサポートし、音声圧縮方式にＡＣ−３オーディオ圧縮方式及びＭＰＥＧオーディオ圧縮方式をサポートしている。また、映画やカラオケ等の字幕用としてビットマップデータをランレングス圧縮した副映像データを取り扱うことができるようになっている。さらに、この規格では、再生装置との関係において、早送り再生や早戻し再生等の特殊再生用コントロールデータ（ナビパック）を追加して構成されている。
【０００５】
なお、この規格では、コンピュータでディスクのデータを読むことができるように、ＩＳ０（International Organization for Standardization）９６６０とマイクロＵＤＦ（Universal Disc Format）の規格をサポートしている。
【０００６】
また、メディア自身の規格としては、ＤＶＤ−ビデオのメディアであるＤＶＤ−ＲＯＭ（Read Only Memory）の規格に続き、ＤＶＤ−ＲＡＭ（Random Access Memory）の規格［記録容量約４．７ＧＢ（Giga Bytes）］も完成し、ＤＶＤ−ＲＡＭドライブもコンピュータ周辺機器として、普及し始めている。
【０００７】
さらに、現在ではＤＶＤ−ＲＡＭを利用し、リアルタイムでの情報記録再生が可能なシステムを実現するＤＶＤビデオ規格、つまりＲＴＲ（Real Time Recording）−ＤＶＤの規格が完成しつつあり、近いうちに検証作業も終了する予定となっている。
【０００８】
この規格は、現在、既に発売されているＤＶＤ−ビデオの規格を元に考えられている。さらに、このＲＴＲ−ＤＶＤに対応したファイルシステムも現在規格化されている。
【０００９】
一方、現在では、記録再生装置に内蔵されたＨＤＤ（Hard Disc Drive）を利用し、ハードディスクに放送信号を記録再生する方式も考えられている。このハードディスクでは、１００ＧＢ以上のデータ記録が可能である。
【発明の開示】
【発明が解決しようとする課題】
【００１０】
ところで、上記したＤＶＤ規格の記録再生装置では、その多種多様な情報や機能をユーザが自由に選択・設定するために、ＧＵＩにより表示された操作画面の中から、所望する情報や機能を階層的に順次選択・設定していく方式が採用されている。
【００１１】
しかしながら、従来のこの種の記録再生装置では、ＧＵＩによる操作画面の表示機能が、まだまだユーザにとって実用上十分なレベルに達しているとは言えないというのが現状である。
【００１２】
そこで、この発明は上記事情を考慮してなされたもので、表示していた操作画面を一旦他の操作画面に切り替え再び元の操作画面に戻したり、操作画面の表示中に電源スイッチを切って再び投入した場合等に、元の操作画面の選択・設定状態を再現して表示することにより、ユーザにとって操作性を便利にした極めて良好な操作画面表示機能付き記録再生装置を提供することを目的とする。
【課題を解決するための手段】
【００１３】
この発明に係る操作画面表示機能付き記録再生装置は、複数種類の操作画面から選択的に表示させた操作画面上で操作を行なう操作画面表示機能付き記録再生装置において、前記複数のタイトルの各サムネイルを含むサムネイル画像の操作画面、録画予約一覧を示す録画予約一覧画像の操作画面の各状態をそれぞれ記憶媒体に記憶する手段と、前記サムネイル画像の操作画面の表示を要求する手段と、前記要求されたサムネイル画像の操作画面を表示させる手段と、前記録画予約一覧を示す録画予約一覧画像の操作画面の表示を要求する手段と、この要求があったときに、前記サムネイル画像の操作画面の操作状態をそのまま上記記憶媒体に記憶する手段と、前記録画予約一覧を示す録画予約一覧画像の操作画面を表示させる手段と、再度前記サムネイル画像の操作画面の表示を要求する手段と、前記録画予約一覧を示す録画予約一覧画像の操作画面の操作状態をそのまま上記記憶媒体に記憶する手段と、最後に記憶されたサムネイル画像の操作画面を表示させる手段とを備える。
【発明の効果】
【００１４】
上記のような構成によれば、複数種類の操作画面の各状態をそれぞれ記憶媒体に記憶しておき、所定の操作画面の表示が要求された状態で、記憶媒体に記憶されている状態に基づいて、要求された操作画面を表示させるようにしたので、表示していた操作画面を一旦他の操作画面に切り替え再び元の操作画面に戻したり、操作画面の表示中に電源スイッチを切って再び投入した場合等に、元の操作画面の選択・設定状態を再現して表示することにより、ユーザにとって操作性を便利にすることができる。
【発明を実施するための最良の形態】
【００１５】
以下、この発明の実施の形態について、図面を参照して詳細に説明する。図１は、この実施の形態で説明する記録再生装置の概略的な構成を示している。この実施の形態では、記録媒体として、光ディスク及びハードディスクの両方を取り扱うことができる記録再生装置として示しているが、いずれか一方のみの記録媒体を取り扱う装置に対しても、この発明は適用可能である。
【００１６】
すなわち、この記録再生装置は、光ディスク１１を回転駆動し、この光ディスク１１に対して情報の書き込み及び読み取りを実行することのできるディスクドライブ１２と、図示しないハードディスクを回転駆動し、このハードディスクに対して情報の書き込み及び読み取りを実行することのできるＨＤＤ部１３と、記録側を構成するエンコーダ部１４と、再生側を構成するデコーダ部１５と、装置本体の動作を統括的に制御するマイクロコンピュータブロック１６とを、主たる構成要素としている。
【００１７】
そして、エンコーダ部１４は、ＡＤＣ（Analog to Digital Converter）１４ａと、Ｖ（Video）エンコーダ，Ａ（Audio）エンコーダ及びＳＰ（Sub‐Picture）エンコーダを含むエンコーダ群１４ｂと、このエンコーダ群１４ｂの各エンコーダの出力を所定のフォーマットに変換するフォーマッタ１４ｃと、このフォーマッタ１４ｃの作業用に使用されるバッファメモリ１４ｄとを備えている。
【００１８】
このうち、ＡＤＣ１４ａには、Ａ／Ｖ（Audio／Video）入力部１７からの外部アナログ画像信号＋外部アナログ音声信号、あるいは、ＴＶ（Television）チューナ１８からのアナログ画像信号＋アナログ音声信号が入力されている。
【００１９】
ＡＤＣ１４ａは、入力されたアナログ画像信号を、例えばサンプリング周波数１３．５ＭＨｚ、量子化ビット数８ビットでデジタル化する。すなわち、輝度成分Ｙ、色差成分Ｃｒ（またはＹ−Ｒ）及び色差成分Ｃｂ（またはＹ−Ｂ）が、それぞれ８ビットで量子化されることになる。
【００２０】
同様に、ＡＤＣ１４ａは、入力されたアナログ音声信号を、例えばサンプリング周波数４８ｋＨｚ、量子化ビット数１６ビットでデジタル化する。
【００２１】
また、ＡＤＣ１４ａにデジタル画像信号やデジタル音声信号が入力されているときは、ＡＤＣ１４ａは、そのデジタル画像信号やデジタル音声信号をスルーパスさせる。
【００２２】
なお、これらのデジタル画像信号やデジタル音声信号に対して、内容を改変することなく、ジッタ低減処理やサンプリングレートの変更処理等を行なうことは許可されている。
【００２３】
ＡＤＣ１４ａから出力されたデジタル画像信号は、エンコーダ群１４ｂのＶエンコーダを介してフォーマッタ１４ｃに送られる。また、ＡＤＣ１４ｃから出力されたデジタル音声信号は、エンコーダ群１４ｂのＡエンコーダを介してフォーマッタ１４ｃに送られる。
【００２４】
Ｖエンコーダは、入力されたデジタル画像信号を、ＭＰＥＧ２またはＭＰＥＧ１規格に基づいて、可変ビットレートで圧縮されたデジタル画像信号に変換する機能を持っている。
【００２５】
また、Ａエンコーダは、入力されたデジタル音声信号を、ＭＰＥＧまたはＡＣ−３規格に基づいて、固定ビットレートで圧縮されたデジタル音声信号またはリニアＰＣＭ（Pulse Code Modulation）のデジタル音声信号に変換する機能を持っている。
【００２６】
なお、Ａ／Ｖ入力部１７から副映像（ＳＰ）信号が入力された場合（例えば副映像信号の独立出力端子付きＤＶＤビデオプレーヤからの信号）、あるいは、このようなデータ構成のＤＶＤビデオ信号が放送され、それがＴＶチューナ１８で受信された場合には、ＤＶＤビデオ信号中の副映像信号が、エンコーダ群１４ｂのＳＰエンコーダに入力される。このＳＰエンコーダに入力された副映像信号は、所定の信号形態にアレンジされて、フォーマッタ１４ｃに送られる。
【００２７】
フォーマッタ１４ｃは、バッファメモリ１４ｄをワークエリアとして使用しながら、入力されたデジタル画像信号、デジタル音声信号及び副映像信号等に対して、それぞれ、記録に適したフォーマットとなるように所定の信号処理を施し、データプロセッサ１９に出力している。
【００２８】
そして、このようにエンコーダ部１４でエンコードされた情報や、作成された管理情報は、データプロセッサ１９及びディスクドライブ１２を介して、光ディスク１１に記録することができる。
【００２９】
ここで、この記録再生装置は、上記のようにしてエンコーダ部１４でエンコードされた情報や、作成された管理情報を、データプロセッサ１９を介してＨＤＤ部１３に供給し、そのハードディスクに記録することもできる。
【００３０】
また、ハードディスクに記録された情報をＨＤＤ部１３で読み出し、データプロセッサ１９及びディスクドライブ１２を介して、光ディスク１１に記録することもできる。
【００３１】
この場合、ハードディスクに記録されている情報のフォーマットが、光ディスク１１のデータフォーマットと同じである場合には、ハードディスクから読み取った情報をそのまま光ディスク１１に記録する。
【００３２】
また、ハードディスクに記録されている情報のフォーマットが、光ディスク１１のデータフォーマットと異なる場合には、ハードディスクから読み取った情報をエンコーダ部１４に供給して、光ディスク１１のデータフォーマットに適応するようにエンコード処理した後、光ディスク１１に記録する。
【００３３】
次に、この記録再生装置は、光ディスク１１に対して、情報の書き込み及び読み取り（記録及び再生）を実行する部分として、光学系や駆動系を有するディスクドライブ１２と、データプロセッサ１９と、一時記憶部２０と、ＳＴＣ（Sysyem Time CounterまたはSyetem Time Clock）２１とを備えている。
【００３４】
このうち、一時記憶部２０は、エンコーダ部１４から出力され、データプロセッサ１９及びディスクドライブ１２を介して光ディスク１１に書き込まれるデータのうちの一定量をバッファリングしたり、ディスクドライブ１２によって光ディスク１１から読み取られ、データプロセッサ１９を介してデコーダ部１５に入力されるデータのうちの一定量をバッファリングするために利用される。
【００３５】
また、データプロセッサ１９は、マイクロコンピュータブロック１６の制御に基づいて、エンコーダ部１４から出力された記録用のデータをディスクドライブ１２に供給したり、ディスクドライブ１２が光ディスク１１から読み取ったデータを取り込んだり、光ディスク１１に記録された管理情報を書き替えたり、光ディスク１１に記録されたデータの削除を行なったりしている。
【００３６】
ここで、マイクロコンピュータブロック１６は、ＭＰＵ（Micro Processing Unit）［またはＣＰＵ（Central Processing Unit）］と、制御プログラムが書き込まれたＲＯＭと、プログラム実行に必要なワークエリアを提供するためのＲＡＭ（Random Access Memory）とを含んでいる。
【００３７】
そして、マイクロコンピュータブロック１６のＭＰＵは、キー入力部２２からの操作情報を受け、そのＲＯＭに格納された制御プログラムに基づいて、ＲＡＭをワークエリアとして用いることにより、装置全体の動作を統括的に制御している。
【００３８】
なお、このマイクロコンピュータブロック１６が実行する動作のうち、この発明の特徴部分に関係する制御としては、操作画面状態記憶部がある。この操作画面状態記憶部は、ＧＵＩにより表示可能な複数の操作画面の状態を、それぞれマイクロコンピュータブロック１６に内蔵された記憶装置に記憶する機能を有している。
【００３９】
また、このマイクロコンピュータブロック１６の実行結果のうち、ユーザに通知すべき内容は、表示部２３に表示されるか、または、図示しないモニタディスプレイにＯＳＤ（On Screen Display）表示される。
【００４０】
なお、マイクロコンピュータブロック１６が、ディスクドライブ１２、データプロセッサ１９、エンコーダ部１４及びデコーダ部１５等を制御するタイミングは、前記ＳＴＣ２１からの時間データに基づいて決定される。
【００４１】
ここで、デコーダ部１５は、ディスクドライブ１２によって光ディスク１１から読み取られ、データプロセッサ１９を介して入力されたデータから、主映像データ、副映像データ及び音声データを分離する分離部１５ａと、この分離部１５ａにおける分離処理やその他の信号処理実行時に使用されるメモリ１５ｂと、分離部１５ａで分離された主映像データをデコードするＶデコーダ，分離部１５ａで分離された副映像データをデコードするＳＰデコーダ及び分離部１５ａで分離された音声データをデコードするＡデコーダよりなるデコーダ群１５ｃと、ｖデコーダから得られる主映像データにＳＰデコーダから得られる副映像データを適宜合成し、主映像に副映像を重ねて表示させるためのビデオプロセッサ１５ｄとを備えている。
【００４２】
ビデオプロセッサ１５ｄの出力は、ビデオミクサ２４に入力される。このビデオミクサ２４では、テキストデータの合成が行なわれる。また、ビデオミクサ２４には、上記Ａ／Ｖ入力部１７やＴＶチューナ１８からの信号を直接取り込むラインも接続されている。ビデオミクサ２４には、バッファとして用いるフレームメモリ２５が接続されている。
【００４３】
そして、ビデオミクサ２４の出力がデジタル出力の場合には、Ｉ／Ｆ（Inter／Face）２６を介して外部に出力され、アナログ出力の場合には、ＤＡＣ（Digital to Analog Converter）２７を介して外部に出力される。
【００４４】
また、上記Ａデコーダの出力がデジタル出力の場合には、Ｉ／Ｆ２８を介して外部に出力され、アナログ出力の場合には、セレクタ２９を介してＤＡＣ３０でアナログ変換されて、外部に出力される。
【００４５】
このセレクタ２９は、マイクロコンピュータブロック１６からのセレクト信号により、Ａ／Ｖ入力部１７やＴＶチューナ１８からの出力信号を直接モニタするとき、ＡＤＣ１４ａからの出力を選択することが可能である。
【００４６】
図２乃至図４は、この実施の形態における特徴的な動作を説明するために示すフローチャートである。すなわち、開始（ステップＳ１１）されると、まず、マイクロコンピュータブロック１６は、ステップＳ１２で、キー入力部２２からのキー入力を受け付ける状態となった後、ステップＳ１３で、ＧＵＩによる操作画面の表示を指示するキーが操作されたか否かを判別し、操作されていない状態では（ＮＯ）、ステップＳ１２の処理に戻される。
【００４７】
また、ステップＳ１３でＧＵＩによる操作画面の表示を指示するキーが操作されたと判断された場合（ＹＥＳ）、マイクロコンピュータブロック１６は、どの操作画面１，２，３，……，ｎの表示を指示するキーであるかを判断することにより、その後の処理を選択する。
【００４８】
例えば、操作画面１の表示を指示するキーが操作されたと判断された場合、マイクロコンピュータブロック１６は、ステップＳ１４で、操作画面１に関する前回の状態を前記操作画面状態記憶部の記憶装置から読み出して、ステップＳ１５で、前回の状態で操作画面１を表示する。
【００４９】
その後、マイクロコンピュータブロック１６は、ステップＳ１６で、キー入力部２２からのキー入力を受け付ける状態となった後、ステップＳ１７で、操作画面１の状態を変更するキーが操作されたか否かを判別する。
【００５０】
そして、操作画面１の状態を変更するキーが操作されたと判断された場合（ＹＥＳ）、マイクロコンピュータブロック１６は、ステップＳ１８で、入力されたキーに応じて操作画面１の表示状態を変更し、ステップＳ１９で、操作画面１の状態を記憶装置に記憶させて、ステップＳ１６の処理に戻される。
【００５１】
また、ステップＳ１７で操作画面１の状態を変更するキーが操作されたのではないと判断された場合（ＮＯ）、マイクロコンピュータブロック１６は、ステップＳ２０で、操作画面１とは別の操作画面を呼び出すキーが操作されたか否かを判別し、操作されていないと判断された場合（ＮＯ）、ステップＳ１６の処理に戻される。
【００５２】
一方、ステップＳ２０で操作画面１とは別の操作画面を呼び出すキーが操作されたと判断された場合（ＹＥＳ）、マイクロコンピュータブロック１６は、操作画面１以外のどの操作画面２，３，……，ｎの表示を指示するキーであるかを判断することにより、その後の処理を選択する。
【００５３】
例えば、操作画面２の表示を指示するキーが操作されたと判断された場合、マイクロコンピュータブロック１６は、ステップＳ２１で、操作画面２に関する前回の状態を前記操作画面状態記憶部の記憶装置から読み出して、ステップＳ２２で、前回の状態で操作画面２を表示する。
【００５４】
その後、マイクロコンピュータブロック１６は、ステップＳ２３で、キー入力部２２からのキー入力を受け付ける状態となった後、ステップＳ２４で、操作画面２の状態を変更するキーが操作されたか否かを判別する。
【００５５】
そして、操作画面２の状態を変更するキーが操作されたと判断された場合（ＹＥＳ）、マイクロコンピュータブロック１６は、ステップＳ２５で、入力されたキーに応じて操作画面２の表示状態を変更し、ステップＳ２６で、操作画面２の状態を記憶装置に記憶させて、ステップＳ２３の処理に戻される。
【００５６】
また、ステップＳ２４で操作画面２の状態を変更するキーが操作されたのではないと判断された場合（ＮＯ）、マイクロコンピュータブロック１６は、ステップＳ２７で、操作画面２とは別の操作画面を呼び出すキーが操作されたか否かを判別し、操作されていないと判断された場合（ＮＯ）、ステップＳ２３の処理に戻される。
【００５７】
一方、ステップＳ２７で操作画面２とは別の操作画面を呼び出すキーが操作されたと判断された場合（ＹＥＳ）、マイクロコンピュータブロック１６は、操作画面２以外のどの操作画面１，３，……，ｎの表示を指示するキーであるかを判断することにより、その後の処理を選択する。
【００５８】
以下、同様の動作によって、いずれの操作画面１，２，３，，……，ｎであっても、その表示が要求された場合には、記憶装置に記憶されている前回の状態から表示されることになる。
【００５９】
なお、１つの操作画面が複数ページで構成されている場合には、最後に表示されていたページの画面から再び表示されることになる。
【００６０】
次に、上記した動作の実際の例について説明する。図５は、図１に示した記録再生装置に対してユーザが操作情報を与えるためのリモートコントローラ３１を示している。このリモートコントローラ３１には、ユーザが操作するための種々のキーやダイヤルが設置されているが、ここでの説明で必要とするものは、見るナビキー３１ａ、録るナビキー３１ｂ及び電源スイッチ３１ｃである。
【００６１】
すなわち、この記録再生装置では、光ディスク１１やハードディスクに記録された複数のプログラム（タイトル）の中から、ユーザが所望の静止画を指定することにより、その静止画をサムネイル画像として収録することができるようになっている。
【００６２】
そして、上記見るナビキー３１ａを操作することにより、図６（ａ）に示すように、既に収録された各サムネイル画像を一覧表示した画面が１つの操作画面として表示され、各サムネイル画像に対して追加、移動、消去等の編集操作を行なえるようになっている。
【００６３】
また、この記録再生装置では、記録したい番組が放送される日時、放送チャンネル、記録モード、記録媒体等の予約データを、放送に先立って予め入力しておくことにより、その番組を自動的に記録することができる予約記録機能が備えられている。
【００６４】
そして、上記録るナビキー３１ｂを操作することにより、図６（ｂ）に示すように、設定された各予約データを一覧表示した画面が１つの操作画面として表示され、各予約データに対してそれぞれ編集操作を行なえるようになっている。
【００６５】
ここで、今、図６（ａ）に示すように、各サムネイル画像を一覧表示した操作画面が表示され、タイトル２のサムネイル画像のタイトル属性情報が選択されている状態で、録るナビキー３１ｂを操作して、図６（ｂ）に示すように、各予約データを一覧表示した操作画面を表示させるように切り替え、その後、見るナビキー３１ａを操作して各サムネイル画像を一覧表示した元の操作画面を再び表示させたとする。
【００６６】
すると、この再び表示された元の操作画面は、図６（ｃ）に示すように、上記録るナビキー３１ｂを操作する前、つまり、図６（ａ）に示したように、タイトル２のサムネイル画像のタイトル属性情報を選択した状態が再現されて表示されることになり、ユーザにとって操作性を便利にすることができる。
【００６７】
また、他の例としては、図７（ａ）に示すように、各サムネイル画像を一覧表示した操作画面が表示され、タイトル２のサムネイル画像のタイトル属性情報が選択されている状態で、電源スイッチ３１ｃを一旦オフ状態とする。そして、再度電源スイッチ３１ｃがオン状態にされて、図７（ｂ）に示すようにテレビジョン画面が表示されている状態で、見るナビキー３１ａを操作して各サムネイル画像を一覧表示した元の操作画面を再び表示させたとする。
【００６８】
すると、この再び表示された元の操作画面は、図７（ｃ）に示すように、上記電源スイッチ３１ｃをオフ状態にする前、つまり、図７（ａ）に示したように、タイトル２のサムネイル画像のタイトル属性情報を選択した状態が再現されて表示されることになり、ユーザにとって操作性を便利にすることができる。
【００６９】
なお、この発明は上記した実施の形態に限定されるものではなく、この外その要旨を逸脱しない範囲で種々変形して実施することができる。
【００７０】
以上詳述したようにこの発明によれば、表示していた操作画面を一旦他の操作画面に切り替え再び元の操作画面に戻したり、操作画面の表示中に電源スイッチを切って再び投入した場合等に、元の操作画面の選択・設定状態を再現して表示することにより、ユーザにとって操作性を便利にした極めて良好な操作画面表示機能付き記録再生装置を提供することができる。
【図面の簡単な説明】
【００７１】
【図１】この発明に係る操作画面表示機能付き記録再生装置の実施の形態を説明するために示すブロック構成図。
【図２】同実施の形態における特徴的な動作の一部を説明するために示すフローチャート。
【図３】同実施の形態における特徴的な動作の一部を説明するために示すフローチャート。
【図４】同実施の形態における特徴的な動作の一部を説明するために示すフローチャート。
【図５】同実施の形態における記録再生装置にユーザが操作情報を与えるためのリモートコントローラを説明するために示す図。
【図６】同実施の形態における操作画面を切り替えた状態の一例を説明するために示す図。
【図７】同実施の形態における操作画面を切り替えた状態の他の例を説明するために示す図。
【符号の説明】
【００７２】
１１…光ディスク、１２…ディスクドライブ、１３…ＨＤＤ部、１４…エンコーダ部、１５…デコーダ部、１６…マイクロコンピュータブロック、１７…Ａ／Ｖ入力部、１８…ＴＶチューナ、１９…データプロセッサ、２０…一時記憶部、２１…ＳＴＣ、２２…キー入力部、２３…表示部、２４…ビデオミクサ、２５…フレームメモリ、２６…Ｉ／Ｆ、２７…ＤＡＣ、２８…Ｉ／Ｆ、２９…セレクタ、３０…ＤＡＣ、３１…リモートコントローラ。
【図１】
2004335106.tif 000003
【図２】
2004335106.tif 000004
【図３】
2004335106.tif 000005
【図４】
2004335106.tif 000006
【図５】
2004335106.tif 000007
【図６】
2004335106.tif 000008
【図７】
2004335106.tif 000009